(57)【特許請求の範囲】
【請求項１】
海中に設置されてカソードとなる金属製の脚部と、
前記脚部に支持される上部構造体と、
前記脚部とカソード接続点で電気的に接続され、かつ前記海中でアノードとなるアノード材料と、を含み、
前記脚部の表面に導電性を有する部材を取り付けて、前記脚部と前記部材とを接続点で電気的に接続し、前記海中において、前記脚部の表面に石灰質を析出させることを特徴とする海洋構造物。
【請求項２】
前記アノード材料は、イオン化傾向の異なる複数の材料を組み合わせる請求項１に記載の海洋構造物。
【請求項３】
前記アノード材料は、アルミニウム又はアルミニウム合金と、マグネシウム又はマグネシウム合金とを含む請求項２に記載の海洋構造物。
【請求項４】
前記導電性を有する部材は網である請求項１から３のいずれか１項に記載の海洋構造物。
【請求項５】
海中に設置されてカソードとなる金属製の脚部と、
前記脚部に支持される上部構造体と、
前記脚部とカソード接続点で電気的に接続され、かつ前記海中でアノードとなるアノード材料と、
自然エネルギーによって電力を発生し、かつ負極が前記脚部と電気的に接続され、陽極が前記アノード材料と電気的に接続される電源装置と、を含み、
前記脚部の表面に導電性を有する部材を取り付けて、前記脚部と前記部材とを接続点で電気的に接続し、前記海中において、前記脚部の表面に石灰質を析出させることを特徴とする海洋構造物。
【請求項６】
前記石灰質を析出させるときの電流密度は１Ａ／ｍ２以上であり、析出した前記石灰質が層を形成した後は、電流密度を０．００５Ａ／ｍ２以上０．１Ａ／ｍ２以下とする請求項１から５のいずれか１項に記載の海洋構造物。
【発明の詳細な説明】
【技術分野】
【０００１】
本発明は、海中に設置される部分に金属材料を用いた防波堤、離岸堤、ケーソン、消波構造物その他の海洋構造物に関する。
【背景技術】
【０００２】
防波堤、離岸堤、消波構造物、海上風力発電機、石油プラットフォーム、浮上式堤防等といった、海洋に設置される構造物（海洋構造物）がある。このような海洋構造物は、一般に、コンクリート、鉄筋コンクリート又は金属材料等で製造される。例えば、特許文献１には、基礎杭及び骨組構造物を鋼製とし、これらを海中に配置することが記載されている。
【先行技術文献】
【特許文献】
【０００３】
【特許文献１】特開平２−２４４０８号公報（２頁右上欄第２０行〜２頁左下欄第１０行、第３図）
【発明の概要】
【発明が解決しようとする課題】
【０００４】
鋼製の構造物が海中に設置される場合、腐食を回避するために、電気防食が適用されることがある。一方、コンクリート製の海洋構造物を海中に設置すると、このような構造物の表面には藻類あるいは貝類等が付着する。これは、コンクリートの表面が多孔質であるため、藻類あるいは貝類等が付着しやすくなると考えられる。そして、コンクリート製の海洋構造物の周りには、このような生物の捕食を目的とした魚介類が集まり、藻類、貝類及び魚介類その他の海洋生物が生存しやすい環境が形成されることがある。
【０００５】
一般に、電気防食が適用される構造物、例えば、金属製の構造物が海中に設置される場合、表面が多孔質ではないことから、藻類あるいは貝類等は付着しにくく、前述したような海洋生物が生存しやすい環境は望めないことが多い。本発明は、海中に設置された金属製の構造物の周囲に海洋生物の生存に適した環境を創出しやすい海洋構造物を提供することを目的とする。
【課題を解決するための手段】
【０００６】
上述した課題を解決し、目的を達成するために、本発明に係る海洋構造物は、海中に設置されてカソードとなる金属製の構造体と、前記構造体と電気的に接続され、かつ海中でアノードとなるアノード材料と、を含み、前記海中において、前記構造体の表面に石灰質を析出させることを特徴とする。
【０００７】
この海洋構造物は、海中に設置される金属製の構造体をカソードとし、前記構造体とアノード材料とを電気的に接続することにより、前記構造体に電気防食を施すとともに、前記構造体の表面に石灰質を析出させる。このようにすることで、前記構造体の表面には石灰質の多孔質層が形成されるので、前記構造物の表面は、前記多孔質層に藻類あるいは貝類等が付着し、繁殖しやすい環境となる。そして、前記構造物の表面に付着した藻類あるいは貝類を捕食するために魚介類が集まるようになる。このように、本発明は、海中に設置された金属製の構造物の周囲に海洋生物の生存に適した環境を創出しやすい海洋構造物を提供することができる。
【０００８】
本発明の望ましい態様として、前記アノード材料は、イオン化傾向の異なる複数の材料を組み合わせることが好ましい。このようにすれば、海中に設置される構造物の表面に析出する石灰質の厚みを調整することができる。
【０００９】
本発明の望ましい態様として、前記アノード材料は、アルミニウム又はアルミニウム合金と、マグネシウム又はマグネシウム合金とを含むことが好ましい。アノード材料として、このようなイオン化傾向の異なる複数種類の材料を用いることにより、環境負荷を低減できる。また、マグネシウム又はマグネシウム合金は、防食電位を低くすることができるので、石灰質を効率的に析出させることができる。
【００１０】
本発明の望ましい態様として、前記構造体の表面に導電性を有する部材を取り付けて、前記構造体と前記部材とを電気的に接続することが好ましい。このようにすれば、前記構造体の表面に取り付けられた導電性を有する部材にも石灰質が析出するので、前記構造体の表面には凹凸を有する石灰質の層が形成される。その結果、より藻類あるいは貝類等が付着しやすくなる。
【００１１】
本発明の望ましい態様として、前記構造体に導電性を有する網を取り付けて、前記構造体と前記網とを電気的に接続することが好ましい。このような構造により、前記構造物の表面に加えて導電性を有する網にも石灰質が析出するので、藻類あるいは貝類等が付着する面積が増加するので好ましい。
【００１２】
上述した課題を解決し、目的を達成するために、本発明に係る海洋構造物は、海中に設置されてカソードとなる金属製の構造体と、前記構造体と電気的に接続され、かつ前記海中でアノードとなるアノード材料と、自然エネルギーによって電力を発生し、かつ負極が前記構造体と電気的に接続され、陽極が前記アノード材料と電気的に接続される電源装置と、を含み、前記海中において、前記構造体の表面に石灰質を析出させることを特徴とする。
【００１３】
このようにすれば、波力、風力、温度差、潮流又は太陽光等の自然エネルギーを有効活用できるので好ましい。
【００１４】
本発明の望ましい態様として、前記石灰質を析出させるときの電流密度は１Ａ／ｍ２以上であり、析出した前記石灰質が層を形成した後は、電流密度を０．００５Ａ／ｍ２以上０．１Ａ／ｍ２以下とすることが好ましい。このように、石灰質の層を形成するときの電流密度を前記層が形成された後よりも大きくすることで、早期に石灰質の層を構造体の表面に形成することができる。そして、石灰質の層が形成された後は、電流密度を小さくすることで、海洋生物の生存に適した環境を創出するとともに、石灰質の層の維持及び構造体の防食を維持することができる。
【発明の効果】
【００１５】
本発明は、海中に設置された金属製の構造物の周囲に海洋生物の生存に適した環境を創出しやすい海洋構造物を提供することができる。
【図面の簡単な説明】
【００１６】
【図１】図１は、実施形態１に係る海洋構造物の装置構成図である。
【図２】図２は、実施形態１に係る海洋構造物の装置構成図である。
【図３】図３は、アノード材料と脚部との間で電流を流すことを説明するための図である。
【図４】図４は、時間の経過にしたがって脚部の表面における電流密度を変更する例を示す図である。
【図５】図５は、時間の経過にしたがって脚部の表面における電流密度を変更する例を示す図である。
【図６】図６は、時間の経過にしたがって脚部の表面における電流密度を変更する他の例を示す図である。
【図７】図７は、時間の経過にしたがって脚部の表面における電流密度を変更する他の例を示す図である。
【図８】図８は、実施形態２に係る海洋構造物の装置構成図である。
【図９】図９は、実施形態２の変形例に係る海洋構造物の装置構成図である。
【図１０】図１０は、実施形態３に係る海洋構造物の装置構成図である。
【発明を実施するための形態】
【００１７】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１８】
（実施形態１）
図１、図２は、実施形態１に係る海洋構造物の装置構成図である。海洋構造物１は、海中に設置される部分に金属（例えば鋼）を用いた防波堤、離岸堤、消波構造物、海上風力発電機、石油プラットフォーム、浮上式堤防その他の構造物である。本実施形態において、海洋構造物１は、離岸堤であるがこれに限定されるものではない。海洋構造物１は、海中Ｗに設置されてカソードとなる構造体としての脚部２と、前記構造体と電気的に接続され、かつ海中でアノードとなるアノード材料４と、を含む。本実施形態において、海洋構造物１は、さらに、脚部２に支持される上部構造体３と、アノード材料４を支持するアノード支持体５と、脚部２とアノード材料４とを電気的に接続する導線６とを含む。
【００１９】
海洋構造物１は、脚部２を複数有する。複数の脚部２は、海底Ｂに埋め込まれている。複数の脚部２は、海底Ｂに埋め込まれている側とは反対側に、上部構造体３が取り付けられる。上部構造体３は、複数の脚部２によって海底Ｂに支持される。上部構造体３は、一部が海中Ｗに没し、残りの部分が海面ＷＬ上に現れる。脚部２は、金属製であり、金属の種類は特に限定されるものではないが、加工のしやすさ、コストの関係から鋼を用いることが好ましい。上部構造体３は、鋼とコンクリートとを組み合わせた構造体又はコンクリートの構造体である。
【００２０】
図３は、アノード材料と脚部との間で電流を流すことを説明するための図である。アノード材料４は、脚部２よりも自然電位が卑の材料である。アノード材料４は、導線６により、海中でカソードとなる鋼製の脚部２とカソード接続点Ｐｃで電気的に接続される。このようにアノード材料４と脚部２とを電気的に接続し、両者を海中に設置することにより、両者の間には電解質である海水が介在する。このため、海水の電池作用により、アノード材料４から脚部２へ電流が流れる。すると、時間の経過とともに脚部２の表面２Ｓに、ＣａＣＯ３、Ｍｇ（ＯＨ）２、ＭｇＣＯ３等の石灰質が析出し、電着鉱物層７を形成する。同時に、脚部２の周辺環境はアルカリ化が促進される。
【００２１】
一般に、金属は、表面が平滑であるため、藻類あるいは貝類等が付着しにくい。本実施形態において、脚部２の表面２Ｓに析出した石灰質によって形成される電着鉱物層７は、多孔質の層を形成する。このため、石灰質が脚部２の表面２Ｓに析出すると、例えば、サンゴの幼生、藻類あるいは貝類等が電着鉱物層７に着生して生育しやすくなる。また、アルカリ化の促進により、脚部２の周辺における海水のｐＨが上昇すると、例えば、サンゴの石灰化に必要なエネルギーが小さくなるため、電着鉱物層７にサンゴが付着した場合には、その成長速度及び耐性を向上させる作用が得られる。さらに、アノード材料４から脚部２へ電流が流れることにより、脚部２は防食されるので、海中に設置された脚部２の腐食が抑制される。
【００２２】
上述したように、アノード材料４は、脚部２よりも自然電位が卑な金属である。このため、海洋構造物１では、アノード材料４は流電陽極として機能する。すなわち、本実施形態では、流電陽極法を用いて、アノード材料４から脚部２へ電流を流す。流電陽極法を用いる場合において、脚部２への電着鉱物層７の析出及び脚部２周辺における環境のアルカリ化を促進させるためには、アノード材料４の種類が重要になる。
【００２３】
陰極電位（防食電位ともいう）が約−１０００ｍＶ（飽和かんこう電極基準、以下省略）より貴側（電位が高い）であれば、脚部２における反応は、概ね式（１）で表される酸素還元反応となる。この場合、電流密度の大きさは１００ｍＡ／ｍ２程度である。この反応に対応するアノード材料４は、例えば、アルミニウム系の材料（アルミニウム、アルミニウム合金等）を用いるが、上記電流値では石灰質の析出は遅くなる。一方、アノード材料４の消耗は比較的小さいため、アノード材料４の寿命は長くなる。
Ｏ２＋Ｈ２Ｏ＋４ｅ−→４ＯＨ−・・・（１）
【００２４】
陰極電位が−１１００ｍＶより卑側（電位が低い）であれば、脚部２における反応は、おおむね式（２）で表される水素発生反応で、電流密度の大きさは１０００ｍＡ／ｍ２以上も可能となる。この反応に対応するアノード材料４は、例えば、マグネシウム系の材料（マグネシウム、マグネシウム合金等）を用いる。上記電流値では、石灰質の析出は早くなるが、流電陽極の消耗が大きく、アノード材料４の寿命は短くなる。
２Ｈ２Ｏ＋２ｅ−→Ｈ２＋２ＯＨ−・・・（２）
【００２５】
本実施形態においては、電着鉱物層７の析出やアノード材料４の消耗等を考慮して、アノード材料４の材料を選択したり、アノード材料４の形状又は配置等を変更したりする。例えば、初期においては陽極から陰極へ流れる電流密度を大きくして石灰質を脚部２の表面２Ｓに析出させ、ある程度の期間が経過したら、脚部２の防食を主目的として前記電流を小さくする。脚部２の防食が主目的になると、電流密度が小さくなり、電着鉱物層７には藻類あるいは貝類等が付着し、成長しやすくなる。
【００２６】
例えば、脚部２が海中Ｗに設置された直後においては、脚部２の表面２Ｓにおける電流密度の大きさを、例えば、１０００ｍＡ／ｍ２以上とし、脚部２の表面２Ｓに石灰質を析出させ、短期間で電着鉱物層７の層の厚みを必要な大きさ（例えば、１ｃｍ〜２ｃｍ程度）とする。このようにすることで、脚部２の周囲に、貝類あるいは藻類が付着しやすい環境を早期に創出することができる。この場合、例えば、マグネシウム系の材料をアノード材料４とすることが好ましい。マグネシウム系の材料は、海中におけるイオン化傾向が大きいことから、脚部２の表面２Ｓにおける電流密度を大きくしやすい。
【００２７】
脚部２の表面２Ｓに析出した石灰質による電着鉱物層７の層の厚みが必要な大きさになった後は、主として脚部２の電気防食を目的として、脚部２の表面２Ｓにおける電流密度を１００ｍＡ／ｍ２程度とすることが好ましい。このようにすれば、脚部２の周囲に、貝類あるいは藻類の付着及び生育に適した環境を創出することができる。脚部２の表面２Ｓにおける電流密度を１００ｍＡ／ｍ２程度とするため、脚部２の表面２Ｓに必要な厚みの電着鉱物層７の層が形成された後は、アノード材料４をアルミニウム系の材料とすることが好ましい。このようにすれば、アノード材料４の消耗が小さくなるので、アノード材料４の交換の周期を長くすることができる。
【００２８】
図４、図５は、時間の経過にしたがって脚部の表面における電流密度を変更する例を示す図である。時間の経過にしたがって脚部２の表面２Ｓの電流密度を変更するため、図４に示す海洋構造物１ａは、海中でイオン化傾向の異なる複数の材料を組み合わせてアノード材料４とする。この例において、アノード材料４は、第１アノード材料４Ｍと第２アノード材料４Ａとを組み合わせたものである。第１アノード材料４Ｍは、第２アノード材料４Ａよりも海水中におけるイオン化傾向が大きい。本実施形態では、第１アノード材料４Ｍとしてマグネシウム又はマグネシウム合金を用い、第２アノード材料４Ａとして、アルミニウム又はアルミニウム合金を用いる。
【００２９】
第１アノード材料４Ｍは、導線６Ｍにより脚部２と電気的に接続される。第２アノード材料４Ａは、導線６Ａにより脚部２と電気的に接続される。導線６Ｍと脚部２との接続点は、第１カソード接続点Ｐｃ１であり、導線６Ａと脚部２との接続点は、第２カソード接続点Ｐｃ２である。この状態で、第１アノード材料４Ｍ、第２アノード材料４Ａ及び脚部２を海中に設置すると、海中におけるイオン化傾向の違いから、主として第１アノード材料４Ｍが脚部２の表面２Ｓに石灰質を析出させて電着鉱物層７が形成される。第１アノード材料４Ｍは、第２アノード材料４Ａよりも海中におけるイオン化傾向が大きいため、第２アノード材料４Ａよりも早く消耗する。第１アノード材料４Ｍが消耗した後は、第２アノード材料４Ａと脚部２との間で電流が流れる。このように、海中におけるイオン化傾向が異なる複数の材料をアノード材料４として用いることにより、時間の経過にしたがって、脚部２の表面２Ｓにおける電流密度を変更することができる。
【００３０】
第１アノード材料４Ｍ及び第２アノード材料４Ａは、導線６Ｍ、６Ａによらず、直接脚部２に取り付け、脚部２と電気的に接続してもよい。この場合、例えば、図５に示す海洋構造物１ｂのように、第１アノード材料４Ｍを第１カソード接続点Ｐｃ１で脚部２の表面２Ｓに接続し、第２アノード材料４Ａを第２カソード接続点Ｐｃ２で脚部２の表面２Ｓに接続する。このようにすると、導線６Ｍ、６Ａが不要になるので、構造を簡単にできる。
【００３１】
図６、図７は、時間の経過にしたがって脚部の表面における電流密度を変更する他の例を示す図である。図６に示す海洋構造物１ｃは、海中においてイオン化傾向の異なる第１アノード材料４Ｍと第２アノード材料４Ａとを、接続対象切替手段であるスイッチ８を介して脚部２に接続する。この状態で、第１アノード材料４Ｍ、第２アノード材料４Ａ及び脚部２を海中に設置する。
【００３２】
脚部２の表面２Ｓに石灰質を析出させる場合、まず、スイッチ８を第１アノード材料４Ｍ側の端子Ｍに接続する。すると、第１アノード材料４Ｍと脚部２との間に電流が流れ、脚部２の表面２Ｓに石灰質が析出し、電着鉱物層７が形成される。第１アノード材料４Ｍがほとんど消耗したら、スイッチ８を第２アノード材料４Ａの端子Ａに接続する。すると、第２アノード材料４Ａと脚部２との間で電流が流れる。このように、海中におけるイオン化傾向が異なる複数の材料をアノード材料４として用い、スイッチ８で脚部２との接続を切り替えることにより、時間の経過にしたがって、脚部２の表面２Ｓにおける電流密度を変更することができる。
【００３３】
図７に示す海洋構造物１ｄは、アノード材料４と脚部２との間に流れる電流の大きさに基づき、制御装置１０によってスイッチ８ａを切り替えるものである。制御装置１０は、スイッチ８ａによる脚部２とアノード材料４との接続を、第１アノード材料４Ｍ側の端子Ｍと第２アノード材料４Ａ側の端子Ａとに切り替えることができる。スイッチ８ａと脚部２との間には、電流計９が直列に接続されている。
【００３４】
第１アノード材料４Ｍ、第２アノード材料４Ａ及び脚部２が海中に設置された場合、制御装置１０は、スイッチ８ａを第１アノード材料４Ｍ側の端子Ｍに接続する。その後、制御装置１０は、電流計９が検出したアノード材料４から脚部２に流れる電流の値に基づき、スイッチ８ａを切り替える。すなわち、制御装置１０は、前記電流の値が予め定めた閾値以下になった場合又は０になった場合、第１アノード材料４Ｍがほとんど消耗したと判断できる。このため、前記電流の値が予め定めた閾値以下になった場合又は０になった場合は、制御装置１０は、スイッチ８ａを第２アノード材料４Ａの端子Ａに接続する。
【００３５】
すると、第２アノード材料４Ａと脚部２との間で電流が流れる。このように、アノード材料４から脚部２に流れる電流の値に基づき、脚部２の接続対象を第１アノード材料４Ｍから第２アノード材料４Ａに切り替えることで、第２アノード材料４Ａと脚部２との間には常に電流を流した状態で、脚部２の表面２Ｓにおける電流密度を変更することができる。その結果、脚部２の表面２Ｓに析出する石灰質による電着鉱物層の厚みを調整することができる。
【００３６】
上述した例は、流電陽極法により海中に設置される金属製の構造体に石灰質を析出させるが、前記構造物に析出させる手段はこれに限定されるものではない。例えば、波力、風力、温度差、潮流又は太陽光等の自然エネルギーにより電力を発生させ、この電力を用いて前記構造物に石灰質を析出させてもよい。このようにすると、自然エネルギーを有効活用できるので好ましい。
【００３７】
自然エネルギーにより電力を発生させる装置（電源装置）は、負極（−極）が前記構造物と電気的に接続され、正極（＋極）がアノード材料と電気的に接続される。そして、少なくとも前記構造物とアノード材料とが海中に設置される。この状態で、電源装置は、前記構造物と前記アノード材料との間に電流を流す。より具体的には、電源は、前記アノード材料から前記構造物に向かって電流を流す。その結果、前記構造物にはＣａＣＯ３、Ｍｇ（ＯＨ）２、ＭｇＣＯ３等の石灰質が析出して表面に電着鉱物層を形成し、また、前記構造物の周辺環境のアルカリ化が促進される。
【００３８】
前記電源装置を用いる場合、前記アノード材料は、海水の電気分解に用いても酸化しない、不溶性導電体（チタン、炭素、白金等）を用いることが好ましいが、これに限定されるものではなく、酸化溶解する金属を用いてもよい。酸化溶解する金属、例えば、アルミニウム又はアルミニウム合金をアノード材料に用いると、石灰質が前記構造物に析出している最中に、アノード材料から塩素が発生することを回避することができる。また、前記アノード材料にアルミニウム又はアルミニウム合金を用いると、マグネシウム又はマグネシウム合金をアノード材料に用いたときと比較して、前記アノード材料の酸化溶解を遅くすることができる。
【００３９】
前記電源装置によって前記構造物と前記アノード材料との間に電流を流すので、流電陽極法により電流を流す場合と比較して、定電流を簡易に流すことができる。この場合、例えば、前記電源装置が発電した電気エネルギーを蓄電装置（例えば、二次電池、コンデンサ等）に蓄えておき、自然エネルギーが利用できない場合は、前記蓄電装置に蓄えられた電気エネルギーを用いて石灰質を析出させてもよい。このようにすれば、より安定して石灰質を前記構造物の表面に析出させることができる。
【００４０】
また、前記電源装置を用いる場合、前記構造物の表面における電流密度を変更するために、例えば、可変抵抗装置による電流調節装置を有していてもよい。この電流調節装置は、前記構造物と、電源装置と、前記アノード材料とを有する回路に、直列に接続される。このような電流調節装置は、簡易に前記構造物の表面における電流密度を変更することができるので、簡易に石灰質の析出速度を変化させることができる。
【００４１】
構造体の表面に石灰質を析出させるときの電流密度は１Ａ／ｍ２以上であり、析出した前記石灰質の層が形成された後、すなわち、電着鉱物層７が形成された後は、電流密度を０．００５Ａ／ｍ２以上０．１Ａ／ｍ２以下とすることが好ましい。このように、石灰質による電着鉱物層７を形成するときの電流密度を電着鉱物層７が形成された後よりも大きくすることで、早期に電着鉱物層７を構造体の表面に形成することができる。そして、電着鉱物層７が形成された後は、電流密度を小さくすることで、海洋生物の生存に適した環境を創出するとともに、電着鉱物層７の維持及び構造物の防食を維持することができる。例えば、電流密度を１Ａ／ｍ２以上とする期間が３０日以上経過したら、構造体の表面に電着鉱物層７が形成されたと判断する。なお、電着鉱物層７を形成する際の電流密度は、１Ａ／ｍ２以下とすることが好ましい。
【００４２】
（実施形態２）
図８は、実施形態２に係る海洋構造物の装置構成図である。この海洋構造物１ｅは、脚部２の表面２Ｓに導電性を有する部材としての網１１を取り付けて、脚部２と網１１とを電気的に接続する点に特徴がある。網１１は金属製であり、脚部２と接続点Ｐｎで電気的に接続される。アノード材料４は、導線６を介してカソード接続点Ｐｃで脚部２と電気的に接続される。このような構造により、海洋構造物１ｅは、脚部２の表面２Ｓに加えて網１１にも電着鉱物層が析出するので、脚部２の表面２Ｓに形成される電着鉱物層に凹凸を設けることができる。その結果、藻類あるいは貝類等が電着鉱物層により付着しやすくなる。
【００４３】
図９は、実施形態２の変形例に係る海洋構造物の装置構成図である。この海洋構造物１ｆは、脚部２の表面２Ｓに導電性を有する部材としての線材１２を巻き付けて、脚部２と線材１２とを電気的に接続する点に特徴がある。線材１２は金属製であり、脚部２と接続点Ｐｗで電気的に接続される。アノード材料４は、導線６を介してカソード接続点Ｐｃで脚部２と電気的に接続される。このような構造により、海洋構造物１ｆは、脚部２の表面２Ｓに加えて線材１２にも石灰質が析出するので、脚部２の表面２Ｓに形成される電着鉱物層に凹凸を設けることができる。その結果、藻類あるいは貝類等が電着鉱物層により付着しやすくなる。
【００４４】
（実施形態３）
図１０は、実施形態３に係る海洋構造物の装置構成図である。この海洋構造物１ｇは、脚部２に導電性を有する網１３を取り付けて、脚部２と網１３とを電気的に接続する点に特徴がある。本実施形態において、網１３は、隣接する２本の脚部２、２の間に、取付部材１４を介して取り付けられる。本実施形態において、取付部材１４は金属板であり、網１３及び脚部２に溶接される。このような構造により、網１３は、２本の脚部２、２と電気的に接続される。アノード材料４は、導線６を介してカソード接続点Ｐｃで２本の脚部２、２と電気的に接続される。このような構造により、脚部２の表面に加えて網１３にも石灰質が析出するので、藻類あるいは貝類等が付着する面積が増加する。
【符号の説明】
【００４５】
１、１ａ、１ｂ、１ｃ、１ｄ、１ｅ、１ｆ、１ｇ  海洋構造物
２  脚部
２Ｓ  表面
３  上部構造体
４  アノード材料
４Ｍ  第１アノード材料
４Ａ  第２アノード材料
５  アノード支持体
６、６Ａ、６Ｍ  導線
７  電着鉱物層
８、８ａ  スイッチ
９  電流計
１０  制御装置
１１、１３  網
１２  線材
１４  取付部材
【図１】
0005922332.tif 000002
【図２】
0005922332.tif 000003
【図３】
0005922332.tif 000004
【図４】
0005922332.tif 000005
【図５】
0005922332.tif 000006
【図６】
0005922332.tif 000007
【図７】
0005922332.tif 000008
【図８】
0005922332.tif 000009
【図９】
0005922332.tif 000010
【図１０】
0005922332.tif 000011